(57)【要約】      （修正有）【課題】バッテリー装置装着部の構造の簡素化。【解決手段】バッテリー筐体２と、バッテリー筐体２の少なくとも第１の面５ｂの幅方向の略中央に配置された出力端子３と、を備えている。バッテリー筐体２は、第１の面５ｂと略垂直の第２の面５ａと、第２の面５ａの幅方向Ｘの一側に所定の段差をもって連続された第１の段差面６ｂと、第２の面５ａの幅方向Ｘの他側に所定の段差をもって連続された第２の段差面６ｂと、第２の面５ａから幅方向Ｘの一側に所定の幅と厚みで突出された第１の係合部７と、第２の面５ａから幅方向Ｘの他側に所定の幅と厚みで突出された第２の係合部８と、第１の段差面６ａと第１の係合部７とによって形成された第１の溝部と、第２の段差面６ｂと第２の係合部８とによって形成された第２の溝部と、を有している。そして、第１の段差面６ａ及び第２の段差面６ｂの少なくとも一方に凹部９，１３を設けた。【選択図】図１
2008053155.tif 000002
【特許請求の範囲】
【請求項１】
バッテリーが内蔵された略直方体をなすバッテリー筐体と、
前記バッテリー筐体の少なくとも第１の面の幅方向の略中央において出力部が露出するように配置され且つ前記バッテリーセルの電力を出力する出力端子と、を備え、
前記バッテリー筐体は、
前記第１の面と略垂直をなす第２の面と、
前記第２の面の前記幅方向の一側に所定の段差をもって連続されて略平行に設けられた第１の段差面と、
前記第２の面の前記幅方向の他側に所定の段差をもって連続されて略平行に設けられた第２の段差面と、
前記第２の面から前記幅方向の一側に所定の幅と厚みで突出された第１の係合部と、
前記第２の面から前記幅方向の他側に所定の幅と厚みで突出された第２の係合部と、
前記第１の段差面と前記第１の係合部とによって形成された第１の溝部と、
前記第２の段差面と前記第２の係合部とによって形成された第２の溝部と、を有し、
前記第１の段差面及び前記第２の段差面の少なくとも一方に凹部を設けた
ことを特徴とするバッテリー装置。
【請求項２】
前記凹部は、前記第１の段差面及び前記第２の段差面の各面にそれぞれ略対称に設けた
ことを特徴とする請求項１記載のバッテリー装置。
【請求項３】
前記凹部は、前記第１の段差面及び前記第２の段差面の少なくとも一方の面において、前記幅方向と直交する長手方向に所定の間隔をあけて複数設けた
ことを特徴とする請求項１記載のバッテリー装置。
【請求項４】
前記凹部は、前記第１の段差面及び前記第２の段差面の少なくとも一方の面において、
前記幅方向と直交する長手方向に沿って面取りするように所定の長さに設けた
ことを特徴とする請求項１記載のバッテリー装置。
【請求項５】
バッテリーセルが内蔵された略直方体をなすバッテリー筐体を有するバッテリー装置が着脱可能に装着される装着部と、
前記装着部の少なくとも第１の面の幅方向の略中央において接続部が露出するように配置され且つ前記バッテリー装置の前記バッテリーセルの電力を出力する出力端子に着脱可能に接続される接続端子と、を備え、
前記装着部は、
前記第１の面と略垂直をなす第２の面と、
前記第２の面との間に所定の間隔をあけて設けられると共に前記バッテリー筐体に設けられた第１の係合部に着脱可能に係合される第１のフック部と、
前記第２の面との間に所定の間隔をあけて設けられると共に前記バッテリー筐体に設けられた第２の係合部に着脱可能に係合される第２のフック部と、を有し、
前記第１のフック部及び前記第２のフック部の少なくとも一方には、前記第２の面から離れる方向へ突出する凸部を設けた
ことを特徴とする電子機器。
【請求項６】
前記第１のフック部及び前記第２のフック部は、前記装着部に固定して設けた
ことを特徴とする請求項５記載の電子機器。
【請求項７】
前記第１のフック部及び前記第２のフック部は、前記装着部において前記幅方向と直交する長手方向へ進退移動可能に設けた、
ことを特徴とする請求項５記載の電子機器。
【請求項８】
バッテリーセルを有するバッテリー装置と、
前記バッテリー装置が着脱可能に装着される装着部を有する電子機器との組み合わせからなるバッテリーシステムであって、
前記バッテリー装置は、
前記バッテリーが内蔵された略直方体をなすバッテリー筐体と、
前記バッテリー筐体の少なくともバッテリー側第１の面の幅方向の略中央において出力部が露出するように配置され且つ前記バッテリーセルの電力を出力する出力端子と、を備え、
前記バッテリー筐体は、
前記バッテリー側第１の面と略垂直をなすバッテリー側第２の面と、
前記バッテリー側第２の面の前記幅方向の一側に所定の段差をもって連続されて略平行に設けられた第１の段差面と、
前記バッテリー側第２の面の前記幅方向の他側に所定の段差をもって連続されて略平行に設けられた第２の段差面と、
前記バッテリー側第２の面から前記幅方向の一側に所定の幅と厚みで突出された第１の係合部と、
前記バッテリー側第２の面から前記幅方向の他側に所定の幅と厚みで突出された第２の係合部と、
前記第１の段差面と前記第１の係合部とによって形成された第１の溝部と、
前記第２の段差面と前記第２の係合部とによって形成された第２の溝部と、を有し、
前記第１の段差面及び前記第２の段差面の少なくとも一方に凹部を設け、
前記電子機器は、
前記装着部の少なくとも電子機器側第１の面の幅方向の略中央において接続部が露出するように配置され且つ前記バッテリー装置の前記バッテリーセルの電力を出力する出力端子に着脱可能に接続される接続端子と、を備え、
前記装着部は、
前記電子機器側第１の面と略垂直をなす電子機器側第２の面と、
前記電子機器側第２の面との間に所定の間隔をあけて設けられると共に前記バッテリー筐体に設けられた第１の係合部に着脱可能に係合される第１のフック部と、
前記電子機器側第２の面との間に所定の間隔をあけて設けられると共に前記バッテリー筐体に設けられた第２の係合部に着脱可能に係合される第２のフック部と、を有し、
前記第１のフック部及び前記第２のフック部の少なくとも一方には、前記凹部に着脱可能に係合される凸部を設けた
ことを特徴とするバッテリーシステム。
【発明の詳細な説明】
【技術分野】
【０００１】
本発明は、携帯用の電源であるバッテリー装置と、そのバッテリー装置が着脱可能に装着されて使用される電子機器と、その電子機器とバッテリー装置との組み合わせからなるバッテリーシステムに関するものである。
【背景技術】
【０００２】
従来の、この種のバッテリー装置としては、例えば、特許文献１に記載されているようなものがある。特許文献１には、例えば電子機器の電源として用いる充電型のバッテリーセルが収納されたバッテリーパック、及びバッテリーパック等が装着されるバッテリー装着装置、並びにバッテリーパック等が装着されるバッテリー装着機構を備える電子機器に関するものが記載されている。この特許文献１に記載されたバッテリーパックは、「バッテリーと、前記バッテリーセルを収納するケースと、前記ケースに配され前記バッテリーセルの電力を出力する出力端子と、前記出力端子が配された前記ケースの第１の面に連設し、前記第１の面にほぼ垂直に配された前記ケースの第２の面とを有し、前記第２の面のほぼ中央部に複数の段からなる凹部が形成されて構成される」ことを特徴としている。
【０００３】
このような構成を有するバッテリーパックによれば「不適合とされるバッテリー装着装置に誤装着されることが確実に防止できる」（明細書の段落［０１６１］）」等の効果が期待される。
【０００４】
また、従来のこの種のバッテリー装置の他の例としては、例えば、特許文献２に記載されているようなものもある。特許文献２には、バッテリー装置及びそのバッテリー装置により動作する電子機器に関するものが記載されている。この特許文献２に記載されたバッテリー装置は、「幅と厚さと長さを有するケースと、前記ケースの内部に設けられた充電池部と、前記ケースの表面に設けられ前記充電池部に接続されたバッテリー側端子とを備え、電子機器のバッテリー収容室に前記長さ方向に沿って挿入され前記バッテリー側端子が前記バッテリー収容室の収容室側端子に接触されるバッテリー装置であって、前記幅方向の両側の前記ケースの箇所には、前記長さ方向に延在し前記バッテリー収容室に設けられた突起に係合してバッテリー収容室内で前記厚さ方向における前記ケースの位置を位置決めするガイド溝が形成されている」ことを特徴としている。
【０００５】
このような構成を有するバッテリー装置によれば、「バッテリー装置の幅方向の両側のケースの箇所には、長さ方向に延在しバッテリー収容室に設けられた突起に係合してバッテリー収容室内で厚さ方向におけるケースの位置を位置決めするガイド溝が形成されているので、ケースの厚さが異なる、すなわち容量が異なる複数種類のバッテリー装置をバッテリー収容室に収容することができる（明細書の段落［０００５］）。」等の効果が期待される。
【特許文献１】特開２０００−２４３３６５号公報
【特許文献２】特開２００５−１９０９２９号公報
【０００６】
しかしながら、特許文献１に記載されたバッテリー装置では、バッテリーセルを収容するケース背面のほぼ中央部に複数の段からなる凹部を設け、バッテリー装置が装着される電子機器の装着部には、凹部の形状に対応した突起を設けることによってバッテリー装置の種類判別を行っていた。その結果、新しいバッテリー装置が開発されたときには、バッテリー装置の凹部の段を増やすと共に、それに対応する突起を電子機器の装着部にも設ける必要があることから、バッテリー装置の凹部及び装着部の突起の形状が複雑になるという問題があった。
【０００７】
また、特許文献１及び特許文献２のいずれに記載されたバッテリー装置においても、バッテリー装置が装着される電子機器との装着部との装着構造に関して、特定の構成を有する電子機器に対してのみ使用可能な専用部品として構成されていた。そのため、１つのバッテリー装置は、そのバッテリー装置に対応した装着部を有する電子機器にだけしか装着することができず、装着構造の構成が異なる装着部を有する別の電子機器については、その電子機器に対応したバッテリー装置を別個に用意しなければならないという問題もあった。
【発明の開示】
【発明が解決しようとする課題】
【０００８】
解決しようとする問題点は、従来のバッテリー装置では、新しいバッテリー装置が開発されたときには、バッテリー装置の凹部の段を増やすと共に、それに対応する突起を電子機器の装着部にも設ける必要があることから、バッテリー装置の凹部及び装着部の突起の形状が複雑になるという点である。
【課題を解決するための手段】
【０００９】
本発明のバッテリー装置は、バッテリーが内蔵された略直方体をなすバッテリー筐体と、バッテリー筐体の少なくとも第１の面の幅方向の略中央において出力部が露出するように配置され且つ前記バッテリーセルの電力を出力する出力端子と、を備えている。このバッテリー筐体は、第１の面と略垂直をなす第２の面と、第２の面の幅方向の一側に所定の段差をもって連続されて略平行に設けられた第１の段差面と、第２の面の幅方向の他側に所定の段差をもって連続されて略平行に設けられた第２の段差面と、第２の面から幅方向の一側に所定の幅と厚みで突出された第１の係合部と、第２の面から幅方向の他側に所定の幅と厚みで突出された第２の係合部と、第１の段差面と第１の係合部とによって形成された第１の溝部と、第２の段差面と第２の係合部とによって形成された第２の溝部と、を有している。そして、第１の段差面及び第２の段差面の少なくとも一方に凹部を設けたことを最も主要な特徴とする。
【００１０】
本発明の電子機器は、バッテリーセルが内蔵された略直方体をなすバッテリー筐体を有するバッテリー装置が着脱可能に装着される装着部と、装着部の少なくとも第１の面の幅方向の略中央において接続部が露出するように配置され且つ前記バッテリー装置のバッテリーセルの電力を出力する出力端子に着脱可能に接続される接続端子と、を備えている。この電子機器の装着部は、第１の面と略垂直をなす第２の面と、第２の面との間に所定の間隔をあけて設けられると共にバッテリー筐体に設けられた第１の係合部に着脱可能に係合される第１のフック部と、第２の面との間に所定の間隔をあけて設けられると共に前記バッテリー筐体に設けられた第２の係合部に着脱可能に係合される第２のフック部と、を有している。そして、第１のフック部及び前記第２のフック部の少なくとも一方には、前記第２の面から離れる方向へ突出する凸部を設けたことを特徴とする。
【００１１】
本発明のバッテリーシステムは、バッテリーセルを有するバッテリー装置と、バッテリー装置が着脱可能に装着される装着部を有する電子機器との組み合わせからなるバッテリーシステムに関する。
バッテリー装置は、バッテリーが内蔵された略直方体をなすバッテリー筐体と、バッテリー筐体の少なくともバッテリー側第１の面の幅方向の略中央において出力部が露出するように配置され且つバッテリーセルの電力を出力する出力端子と、を備えている。このバッテリー装置のバッテリー筐体は、バッテリー側第１の面と略垂直をなすバッテリー側第２の面と、バッテリー側第２の面の幅方向の一側に所定の段差をもって連続されて略平行に設けられた第１の段差面と、バッテリー側第２の面の幅方向の他側に所定の段差をもって連続されて略平行に設けられた第２の段差面と、バッテリー側第２の面から幅方向の一側に所定の幅と厚みで突出された第１の係合部と、バッテリー側第２の面から幅方向の他側に所定の幅と厚みで突出された第２の係合部と、第１の段差面と第１の係合部とによって形成された第１の溝部と、第２の段差面と第２の係合部とによって形成された第２の溝部と、を有している。そして、第１の段差面及び第２の段差面の少なくとも一方に凹部を設けている。
電子機器は、装着部の少なくとも電子機器側第１の面の幅方向の略中央において接続部が露出するように配置され且つ前記バッテリー装置の前記バッテリーセルの電力を出力する出力端子に着脱可能に接続される接続端子と、と備えている。この電子機器の装着部は、電子機器側第１の面と略垂直をなす電子機器側第２の面と、電子機器側第２の面との間に所定の間隔をあけて設けられると共に前記バッテリー筐体に設けられた第１の係合部に着脱可能に係合される第１のフック部と、電子機器側第２の面との間に所定の間隔をあけて設けられると共に前記バッテリー筐体に設けられた第２の係合部に着脱可能に係合される第２のフック部と、を有している。そして、第１のフック部及び第２のフック部の少なくとも一方には、前記凹部に着脱可能に係合される凸部を設けたことを特徴とする。
【発明の効果】
【００１２】
このように構成することにより、本出願のバッテリー装置は、簡単な構造の新たなバッテリー装置の種類判別部を提供することができると共に、異なる装着方法を有する複数種類の電子機器に対して共通に使用することができる。また、本出願の電子機器は、簡単な構造の新たなバッテリー装置の種類判別部を提供することができ、装着部に装着されることにより電力が供給されるバッテリー装置が、異なる装着方法を有する複数種類の電子機器に使用できるものであるため、バッテリー装置の共用化を図ることができる。更に、本出願のバッテリーシステムは、前述したバッテリー装置と電子機器との組み合わせにより、両者の利点を有するバッテリーシステムを提供することができる。
【発明を実施するための最良の形態】
【００１３】
簡単な構造によりバッテリー装置の種類判別を行うことができ、異なる装着部の構造を有する電子機器毎にバッテリー装置を用意する必要がなく、バッテリー装置の共用化を図ることができるバッテリー装置、そのバッテリー装置を用いて好適な電子機器、及びそのバッテリー装置と電子機器との組み合わせからなるバッテリーシステムを簡単な構造によって実現した。
【００１４】
図１〜図１７は、本発明の実施の形態の例を示すものである。即ち、図１〜図３は本発明のバッテリー装置の第１の実施の例を示すもので、図１は斜視図、図２Ａは底面図、図２Ｂは左側面図、図３Ａは正面図、図３Ｂは背面図、図３Ｃは図２ＢのＤ−Ｄ線断面図である。図４〜図７は本発明の電子機器の実施の例に係る撮像装置を示すもので、図４は撮像装置を正面側から見た斜視図、図５は同じく背面側から見た斜視図、図６は同じく背面図、図７は外装ケースのリアパネルの第１の実施の例を示す斜視図、図８はリアパネルとスライド部材と支持プレート部材を示す分解斜視図、図９Ａ〜図９Ｃは撮像装置の装着部にバッテリー装置を装着する状態を説明するもので、図９Ａはリアパネルの正面図、図９Ｂはバッテリー装置の装着時の初期状態を示す説明図、図９Ｃは装着後の状態を示す説明図である。図１０はリアパネルの第２の実施の例を示す斜視図、図１１Ａ〜Ｃは撮像装置の装着部にバッテリー装置を装着する状態を説明するもので、図１１Ａはリアパネルの正面図、図１１Ｂはバッテリー装置の装着時の初期状態を示す説明図、図１１Ｃは装着後の状態を示す説明図である。
【００１５】
図１２〜図１３は本発明のバッテリー装置の第２の実施の例を示すもので、図１２は斜視図、図１３は同じく正面図である。図１４はリアパネルの第３の実施の例を示す斜視図、図１５は同じくバッテリー装置を装着した状態における図１４のＵ−Ｕ線断面図である。図１６は本発明の電子機器に係る装着部の第４の実施の例を正面側から見た斜視図、図１７はバッテリー装置よりも高さ方向Ｚ２の寸法が十分に長い装着部に、バッテリー装置を装着した状態を説明する図である。
【実施例１】
【００１６】
まず、本発明のバッテリー装置の第１の実施例について、図１乃至図３を参照して説明する。バッテリー装置１は、中空の筐体からなるバッテリー筐体２と、そのバッテリー筐体２の内部に設けた図に現れないバッテリーセル及び制御回路基板と、バッテリー筐体２に設けたバッテリー側の出力端子３等を備えて構成されている。
【００１７】
この実施例で示すバッテリー筐体２は、図１に示すように長手方向Ｙの寸法がＬ、その長手方向と直交する幅方向Ｘの寸法がＷ、長手方向Ｙ及び幅方向Ｘと直交する高さ方向Ｚの寸法がＨである略直方体をなすブロック状の容器として構成されている。このバッテリー筐体２の寸法（長さＬ、幅Ｗ及び高さＨ）は、この実施例では長さＬ＞幅Ｗ＞高さＨという関係に設定した。しかしながら、本願発明のバッテリー装置の形状は、この実施例に限定されるものではなく、例えば、高さＨを十分に高くしたり（例えば、幅Ｗ＞高さＨ）、幅Ｗを長さＬよりも長くしたり（長さＬ＜幅Ｗ）、その他各種の寸法を適用することができることは勿論である。このバッテリー筐体２は、一面に開口された容器状の上ケース４と、この上ケース４の開口部を閉じるように装着される蓋体状の下ケース５とで構成されている。
【００１８】
上ケース４は、長方形をなす上面部４ａと、この上面部４ａの長手方向Ｙの一側から略垂直をなすように連続された正面部４ｂと、上面部４ａの長手方向Ｙの他側から略垂直をなすように連続された背面部４ｃと、上面部４ａの幅方向Ｘの一側から略垂直をなすように連続された左側面部４ｄと、上面部４ａの幅方向Ｘの他側から略垂直をなすように連続された右側面部４ｅとを有している。そして、上面部４ａと左側面部４ｄが交わる角部及び上面部４ａと右側面部４ｅが交わる角部には、それぞれ曲率半径の大きな円弧状の面取り部４ｆ，４ｆが設けられている。
【００１９】
下ケース５は、バッテリー筐体２の第２の面の一具体例を示す略長方形をなす下面部５ａと、この下面部５ａの長手方向Ｙの一側から略垂直をなすように連続された第１の面の一部を構成する正面部５ｂと、下面部５ａの長手方向Ｙの他側から所定の段差をもって連続された第３の段差面６ｃを有する背面部５ｃと、下面部５ａの幅方向Ｘの一側から所定の段差をもって連続された第１の段差面６ａを有する左段差部５ｄと、下面部５ａの幅方向Ｘの他側から所定の段差をもって連続された第２の段差面６ｂを有する右段差部５ｅとで構成されている。なお、下ケース５の正面部５ｂと上ケース４の正面部４ｂとによってバッテリー筐体２の第１の面である正面部が構成されている。
【００２０】
下ケース５の下面部５ａには、ラベル貼付用の貼付部５ｆが適当な深さに形成されている。図３Ａに示すように、第１の段差面６ａと第２の段差面６ｂは、下面部５ａからの高さ方向Ｚの長さ（高さ）が略同じ高さＳに設定されている。さらに、第１の段差面６ａと第２の段差面６ｂの幅方向Ｘの長さ（幅）も、同じく略同じ幅Ｍに設定されている。そして、第１の段差面６ａと第２の段差面６ｂは、下面部５ａに対してそれぞれが略平行をなすように形成されている。
【００２１】
更に、下ケース５には、図１等に示すように、第２の面である下面部５ａから幅方向Ｘの一側に所定の幅Ｎと厚みＴをもって突出するように形成された第１の係合部７と、同じく下面部５ａから幅方向Ｘの他側に所定の幅Ｎと厚みＴをもって突出するように形成された第２の係合部８が設けられている。第１の係合部７及び第２の係合部８は、左右対称をなす形状とされており、第１の係合部７及び第２の係合部８の幅（突出量）Ｎは、第１の段差面６ａ及び第２の段差面６ｂの幅Ｍの略１／２にそれぞれ設定されている。また、第１の係合部７及び第２の係合部８の厚みＴは、第１の段差面６ａ及び第２の段差面６ｂの高さＳの１／２若しくはそれ以下にそれぞれ設定されている。
【００２２】
第１の係合部７は、長手方向Ｙに適宜な間隔をあけて設けた３つの第１係合片７ａ、第２係合片７ｂ及び第３係合片７ｃを有している。第１係合片７ａは正面部５ｂ側に配置され、第３係合片７ｃは背面部５ｃ側に配置されていて、その中途部に第２係合片７ｂが配置されている。そして、第１係合片７ａと第２係合片７ｂとの間に第１の開口部１０ａが設けられ、第２係合片７ｂと第３係合片７ｃとの間に第２の開口部１０ｂが設けられている。同様に、第２の係合部８は、長手方向Ｙに適宜な間隔をあけて設けた３つの第１係合片８ａ、第２係合片８ｂ及び第３係合片８ｃを有している。第１係合片８ａは正面部５ｂ側に配置され、第３係合片８ｃは背面部５ｃ側に配置されていて、その中途部に第２係合片８ｂが配置されている。そして、第１係合片８ａと第２係合片８ｂとの間に第３の開口部１０ｃが設けられ、第２係合片８ｂと第３係合片８ｃとの間に第４の開口部１０ｄが設けられている。
【００２３】
更に、図２及び図２Ａ等に示すように、第１の係合部７の第１係合片７ａの背面部５ｃ側には第１のリブ１１ａが設けられ、第２係合片７ｂの背面部５ｃ側には第２のリブ１１ｂが設けられ、第３係合片７ｃの背面部５ｃ側には第３のリブ１１ｃが設けられている。同様に、第２の係合部８の第１係合片８ａの背面部５ｃ側には第１のリブ１２ａが設けられ、第２係合片８ｂの背面部５ｃ側には第２のリブ１２ｂが設けられ、第３係合片８ｃの背面部５ｃ側には第３のリブ１２ｃが設けられている。第１のリブ１１ａ，１２ａ及び第２のリブ１１ｂ，１２ｂの突出量（幅）Ｐは、第１係合片７ａ，８ａ及び第２係合片７ｂ、８ｂの突出量（幅）Ｎの略１／２に設定されている。これに対して、第３のリブ１１ｃ，１２ｃの突出量（幅）は、第３係合片７ｃ，８ｃの突出量（幅）Ｎと略同一に設定されている。
【００２４】
また、下ケース５の正面部５ｂ側には、出力端子３の一部を露出させるための出力端子用の開口部１４が設けられている。開口部１４は、正面部５ｂから下面部５ａを至る連続した切欠きとして形成されており、正面部５ｂでは幅方向Ｘの略中央部全体を切欠くように設けられている。更に、下ケース５の開口部１４の幅方向Ｘの両側部には、バッテリー装置１の種類を判別するための２つの第１の判別用凹部１５ａ，１５ｂが設けられている。２つの第１の判別用凹部１５ａ，１５ｂは、バッテリー装置１の形状や電力の容量等の種類別に特定の形状に形成されている。
【００２５】
図１及び図２Ｂ等に示すように、第１の段差面６ａには、長手方向Ｙに所定の間隔をあけて、バッテリー装置１の種類を判別するための２つの第２の判別用凹部９ａ，９ｂが設けられている。同様に、第２の段差面６ｂには、長手方向Ｙに所定の間隔をあけて、バッテリー装置１の種類を判別するための２つの第３の判別用凹部１３ａ，１３ｂが設けられている。第２の判別用凹部９ａ，９ｂの第１の段差面６ａからの深さ（高さ）Ｋ及び第３の判別用凹部１３ａ，１３ｂの第２の段差面６ｂからの深さ（高さ）Ｊは、バッテリー装置１の形状や電力の容量等の種類別に特定の高さに形成されている。そして、この実施例では第２の判別用凹部９ａ，９ｂの深さＫ及び第３の判別用凹部１３ａ，１３ｂの深さを略対称に形成している。しかしながら、本願発明の第２の判別用凹部９ａ，９ｂの深さＫ及び第３の判別用凹部１３ａ，１３ｂの深さＪは、この実施例のものに限定されるものではなく、第２の判別用凹部９ａ，９ｂの深さＫと第３の判別用凹部１３ａ，１３ｂの深さＪを変えて非対称に形成してもよい。
【００２６】
この実施例では、第２の判別用凹部９及び第３の判別用凹部１３の数を２つに設定した。しかしながら、本願発明の第２の判別用凹部９及び第３の判別用凹部１３の数は、この実施例に限定されるものではなく、例えば、第２の判別用凹部９の数を１つにしたり、第３の判別用凹部１３を３つにしたりしてもよい。更に、この実施例では、第１の段差面６ａ及び第２の段差面６ｂのそれぞれに第２の判別用凹部９及び第３の判別用凹部１３を形成したが、第１の段差面６ａ及び第２の段差面６ｂのどちらか一方に第２の判別用凹部９又は第３の判別用凹部１３を形成してもよい。この第２の判別用凹部９ａ，９ｂ及び第３の判別用凹部１３ａ，１３ｂは、本出願の凹部の一具体例を示している。
【００２７】
下ケース５の開口部１４に装着される出力端子３は、図１及び図３Ａに示すように、下ケース５の正面部５ｂと同一平面となる正面部１６ａと、この正面部１６ａと略垂直をなすと共に下ケース５の下面部５ａと同一平面となる下面部１６ｂを少なくとも有するブロック状の端子ホルダ１６を有している。この端子ホルダ１６には、内部に電極が配置された複数（本実施例では４つ）の電極用スリット１７ａ，１７ａと、これら複数の電極用スリット１７ａの両側に配置された２つの位置決め用スリット１７ｂ，１７ｂが設けられている。この電極用スリット１７ａ及び位置決め用スリット１７ｂは、端子ホルダ１６の角部において正面部から底面にかけて連続する溝状の切込みとして形成されている。
【００２８】
端子ホルダ１６の２つの位置決め用スリット１７ｂには、後述する電子機器の装着部に設けられた接続端子５６の位置決め用突起がそれぞれ係合される。また４つの電極用スリット１７ａには、同じく接続端子５６の電極がそれぞれ係合される。この４つの電極用スリット１７ａの内側に、出力端子３の図示しないバッテリー側電極がそれぞれ配置されている。この出力端子３の各バッテリー側電極に、バッテリー筐体２に内蔵されたバッテリーセルが電気的に接続されている。
【００２９】
このような構成を有する下ケース５で上ケース４の開口部を閉じるように重ね合わせ、そのように重ね合わせた部分を接合する。この接合方法としては、例えば、接着剤を用いて接合したり、熱溶着して接合してもよく、また、その他の接合方法を用いることができることは勿論である。これにより、上ケース４と下ケース５が一体化されたバッテリー筐体２が構成される。そして、このバッテリー筐体２の内部に、１又は２以上の電池セルを有するバッテリーセルと、ＣＰＵやＲＡＭ及びＲＯＭ、インターフェース等を含むマイクロコンピュータを有する制御回路基板等が収納されている。バッテリーセルと制御回路基板とは、互いに電気的に接続されていると共に、出力端子３とも接続されている。そして、出力端子３はバッテリーセルの電力を出力可能に構成されていると共に、外部の電子機器との間で、バッテリー容量や特性等の情報をデータ通信可能に構成されている。このようにしてバッテリー装置１が構成されている。
【００３０】
次に、前述したバッテリー装置１を携帯用電源として用いて好適な電子機器に含まれる撮像装置の第１の実施の例を、図４〜図６を参照して説明する。図４〜図６に示す装置は、撮像装置の第１の実施の例として適用したデジタルビデオカメラ２０である。このデジタルビデオカメラ２０は、磁気テープを有するテープカセットを情報記憶メディアとして使用し、光学的な画像を、撮像機構の一具体例を示す撮像素子｛例えば、ＣＣＤ（電荷結合素子）、ＣＭＯＳイメージセンサ等｝で電気的な信号に変換して、その画像情報を磁気テープに記録したり、液晶ディスプレイ等の平面パネルからなる表示装置２３に表示できるようにしたものである。
【００３１】
しかしながら、本発明の電子機器の具体例を示す撮像装置に使用される情報記憶媒体としては、この実施例で示す磁気テープに限定されるものではない。例えば、ＤＶＤ−Ｒ、ＤＶＤ−ＲＷ、ＤＶＤ−ＲＡＭ、ＭＯ、ＦＤその他の記録可能な光ディスク、光磁気ディスク、磁気ディスク等のディスク状記録媒体を情報記録媒体として用いることもできる。これらのディスク状記録媒体を使用する電子機器としては、例えば、光ディスクを用いる場合には、光ディスク式ビデオカメラとして適用することができ、光磁気ディスクを用いる場合には光磁気ディスク式スチルカメラとして適用可能である。また、磁気ディスクを用いる場合には、磁気ディスク式電子手帳として実現することができる。
【００３２】
デジタルビデオカメラ２０は、外観形態を構成する筐体からなるケース本体の一具体例を示す外装ケース２１と、この外装ケース２１の内部に収納されると共に着脱自在に装着されるテープカセットの磁気テープを走行駆動して情報信号の記録（書き込み）及び再生（読み出し）を行うテープドライブ装置と、このテープドライブ装置の駆動制御等を行う制御回路と、被写体の像を光として取り込んで撮像素子に導くレンズ装置２２と、外装ケース２１に回動自在に取り付けられた表示装置２３等を備えて構成されている。
【００３３】
図４〜図６に示すように、外装ケース２１は中空の筐体からなり、左右方向に対向させて配置された駆動装置側パネル２１Ａ及び表示装置側パネル２１Ｂと、両パネルを組み合わせることによって構成される筐体の前側開口部を閉じるフロントパネル２１Ｃと、その筐体の後側開口部を閉じるリアパネル２１Ｄにより略直方体に構成されている。この外装ケース２１は、長手方向Ｙを前後方向に設定すると共に幅方向Ｘに立ち上げたような状態で使用されている。この外装ケース２１の上部に、レンズ系の撮像レンズである対物レンズ２４を正面に露出させた状態でレンズ装置２２が配設されている。
【００３４】
レンズ装置２２は、そのレンズ系の光軸を水平方向に向けた状態で外装ケース２１に取り付けられている。図示しないが、外装ケース２１の内部において、レンズ装置２２の後部に撮像素子が取り付けられている。そして、レンズ装置２２の後方に、そのレンズ装置２２から入力された被写体の画像を写し出すビューファインダ装置２５が配置されている。また、外装ケース２１の上部には、ビデオライトや外付けマイクロホン等のアクセサリーが着脱自在に装着されるアクセサリーシューを露出させる開口部が設けられている。アクセサリーシューはビューファインダ装置２５の直前に配置されており、通常は、開口部を開閉するシューキャップ２７によって着脱可能に覆われている。また、フロントパネル２１Ｃには、フラッシュ装置の発光部２８と、ステレオ方式の内蔵されたマイクロホン２９が配置されている。
【００３５】
図４に示すように、表示装置側パネル２１Ｂには、表示装置２３が姿勢変更可能に取り付けられている。表示装置２３は、図示しない平板状の液晶ディスプレイ等からなる平面パネルと、この平面パネルが収納されたパネルケース３１と、このパネルケース３１を表示装置側パネル２１Ｂに対して姿勢変更可能に支持するパネル支持部３２とから構成されている。パネル支持部３２は、垂直軸を回動中心としてパネルケース３１を水平方向に略９０度回動可能とした水平回動部と、水平軸を回動中心としてパネルケース３１を前後方向に略１８０度回動可能とした前後回動部とを有している。
【００３６】
これにより、表示装置２３は、表示装置側パネル２１Ｂの側面に収納した収納状態と、パネルケース３１を９０度回動させて平面パネルを後方へ対向させた状態と、その状態からパネルケース３１を１８０度回動させて平面パネルを前方へ対向させた状態と、それらの中間位置の状態とを任意に取ることができるようになっている。この表示装置２３の上方の表示装置側パネル２１Ｂの側面には、複数の操作ボタンからなる本体操作部３３が設けられている。
【００３７】
図５に示すように、駆動装置側パネル２１Ａには、テープカセットが着脱可能に装着されるテープデッキを開閉自在に覆うデッキカバー３４が開閉可能に設けられている。テープデッキは、装着されたテープカセットを所定位置に搬送すると共に、磁気テープを引き出してテープドライブ装置の回転ドラム等にローディングした後、その磁気テープを所定速度で走行させて情報信号の記録（書き込み）及び／又は再生（読み出し）を行う装置である。このテープデッキを覆うデッキカバー３４には、モード選択スイッチを兼ねる電源スイッチ３５と、静止画の撮影を行うシャッタボタン３６と、所定の範囲内で画像を連続的に拡大（テレ）又は縮小（ワイド）させるズームボタン３７と、デッキカバー３４のロックとそのロック解除を行う開閉スイッチ３８と、動画撮影を行う録画ボタン３９等が設けられている。
【００３８】
電源スイッチ３５は、回動操作によって電源をオン・オフ切り換える機能と、電源をオンした状態で回動操作することにより複数の機能モードを繰り返すように切り換える機能とを有している。更に、デッキカバー３４にはハンドベルト５１が取り付けられていて、そのハンドベルト５１にはハンドパッド４２が装着されている。ハンドベルト５１及びハンドパッド４２は、外装ケース２１を握るユーザーの手を支え、デジタルビデオカメラ２０の取り落とし等を防止するものである。
【００３９】
図５及び図６に示すように、外装ケース２１の背面には、携帯用電源であるバッテリー装置１が着脱可能に装着されるバッテリー収納部である装着部４４が設けられている。装着部４４は、外装ケース２１の背面の略中央より下側に配置されており、外装ケース２１の背面を構成するリアパネル２１Ｄにおいて後方へ開口するように設けられている。リアパネル２１Ｄの右側には、駆動装置側パネル２１Ａが設けられている。そして、この駆動装置側パネル２１Ａには、録画ボタン３９が配置されている。また、リアパネル２１Ｄの左側には、表示装置側パネル２１Ｂが設けられている。そして、この表示装置側パネル２１Ｂにはフラッシュ装置の発光ボタン４６とナイトショットの切換スイッチ４７が配置されている。
【００４０】
図７に示すように、リアパネル２１Ｄは、上下方向に長く形成されたパネル部材からなり、その一方の面に凹陥部からなる装着部４４が設けられている。装着部４４は、バッテリー装置１と略等しい大きさ（正確には、幅方向Ｘ１の長さは略等しいが、長手方向Ｙ１の長さは、バッテリー装置１の長さに、その長手方向一端の一辺を回動中心としてバッテリー装置１を回動させて開口部４５内に収納可能とするための隙間を加えた長さ）を有する長方形の開口部４５を備えている。
【００４１】
開口部４５は、装着部４４の第２の面の一具体例を示す長方形をなす底面部４５ａと、この底面部４５ａの長手方向Ｙ１の一側に連続され且つ当該底面部４５ａと略垂直をなす第１の面の一具体例を示す下面部４５ｂと、底面部４５ａの長手方向Ｙ１の他側に連続され且つ当該底面部４５ａと略垂直をなす上面部４５ｃと、底面部４５ａの長手方向Ｙ１と直交する幅方向Ｘ１の一側に連続され且つ当該底面部４５ａと略垂直をなす左側面部４５ｄと、底面部４５ａの幅方向Ｘ１の他側に連続され且つ当該底面部４５ａと略垂直をなす右側面部４５ｅとを有している。この開口部４５は、長手方向Ｙ１を上下方向に向けた状態で設けられている。
【００４２】
更に、上面部４５ｃには上方に突出する上化粧面部４８が設けられ、その上化粧面部４８には操作用凸部６６が挿通される挿通穴４８ａが設けられている。また、右側面部４５ｅの下部から下面部４５ｂに亘る部分には、側方から下方に至る領域において連続して張り出すように展開された下化粧面部４９が設けられている。そして、下面部４５ｂの略中央に、後述する接続端子５６が嵌合される嵌合穴５０が設けられている。嵌合穴５０は、下面部４５ｂから始まって底面部４５ａの中途部まで延在された連続する切欠きとして形成されている。
【００４３】
また、開口部４５の底面部４５ａには、後述する第１のフック部６１が貫通される２つの第１の貫通穴５１ａ，５１ｂと、第２のフック部６２が通される２つの第２の貫通穴５２ａ，５２ｂが設けられている。２つの第１の貫通穴５１ａ，５１ｂは、開口部４５の左側面部４５ｄに沿って設けられていて、下面部４５ｂから所定の間隔をあけて第１の下側貫通穴５１ａが配置され、その第１の下側貫通穴５１ａから所定の間隔をあけて第１の上側貫通穴５１ｂが配置されている。２つの第２の貫通穴５２ａ，５２ｂは、開口部４５の左側面部４５ｄに沿って設けられており、下面部４５ｂから所定の間隔をあけて第２の下側貫通穴５２ａが配置され、その第２の下側貫通穴５２ａから所定の間隔をあけて第２の上側貫通穴５２ｂが配置されている。第１の貫通穴５１ａ，５１ｂと第２の貫通穴５２ａ，５１ｂは、左右対称をなすように設けられている。そして、第１の貫通穴５１ａ，５１ｂと第２の貫通穴５２ａ，５１ｂは、第１のフック部６１及び第２のフック部６２がそれぞれ上下方向へ所定距離を移動できるように開口部４５の長手方向Ｙ１に延在された長方形状の穴として形成されている。
【００４４】
更に、第１の下側貫通穴５１ａは、図９Ａ〜図９Ｃに示すように、装着部４４に装着されたバッテリー装置１の第１の係合部７の第１係合片７ａと第２係合片７ｂとの間に設定された第１の開口部１０ａに対向する位置関係となるように設けられている。同様に、第２の下側貫通穴５２ａは、バッテリー装置１の第２の係合部８の第１係合片８ａと第２係合片８ｂとの間に設定された第３の開口部１０ｃに対向する位置関係となるように設けられている。また、第１の上側貫通穴５１ｂは、バッテリー装置１の第１の係合部７の第２係合片７ｂと第３係合片７ｃとの間に設定された第２の開口部１０ｂに対向する位置関係となるように設けられている。同様に、第２の上側貫通穴５２ｂは、バッテリー装置１の第２の係合部８の第２係合片８ｂと第３係合片８ｃとの間に設定された第４の開口部１０ｄに対向する位置関係となるように設けられている。
【００４５】
また、開口部４５の下端の両角部には、バッテリー装置１を位置決めして係合支持する２つの突起片５５ａ，５５ｂが設けられている。２つの突起片５５ａ，５５ｂは、底面部４５ａとの間に所定の間隔をあけて、下面部４５ｂから上方へ突出するように形成されている。バッテリー装置１の装着時、第１の突起片５５ａにはバッテリー装置１の第１の係合部７の第１係合片７ａが係合され、第２の突起片５５ｂにはバッテリー装置１の第２の係合部８の第１係合片８ａが係合される。この第１の突起片５５ａと第２の突起片５５ｂとの間の略中間に、バッテリー装置１の装着時、その出力端子３と着脱可能に接続される接続端子５６が配置されている。
【００４６】
接続端子５６は、バッテリー装置１の出力端子３の出力部に対応する形状及び構造を有している。即ち、接続端子５６は、出力端子３の電極の数に対応した数の電極であって、４つの電極用スリット１７ａにそれぞれ挿入可能とされた４つの本体側電極５７と、２つの位置決め用スリット１７ｂ，１７ｂにそれぞれ挿入可能とされた２つのガイド片５８とを有している。４つの本体側電極５７は、装着部４４の幅方向Ｘ１に所定の間隔をあけて等間隔に配置されており、その外側に所定の間隔をあけて２つのガイド片５８が設けられている。
【００４７】
図８に示すように、装着部４４を有するリアパネル２１Ｄの背面にはスライド部材６０が配置され、その背面には支持プレート部材６４が配置されている。スライド部材６０は、リアパネル２１Ｄに対して、装着部４４の長手方向Ｙ１である上下方向にスライド可能に支持されている。また、支持プレート部材６４はリアパネル２１Ｄに固定されており、この支持プレート部材６４によってスライド部材６０の脱落を防止している。そして、スライド部材６０とリアパネル２１Ｄの間には、スライド部材６０を接続端子５６から離れる方向に付勢する付勢部材の一具体例を示すコイルばね６５が介在されている。
【００４８】
スライド部材６０は、開口部４５の底面部４５ａよりも小さい略長方形の板体からなるベース部６０ａと、このベース部６０ａの上辺に連続して上方へ突出させて設けた操作部６０ｂとからなっている。このベース部６０ａの一面に、互いに所定の間隔をあけて第１のフック部６１と第２のフック部６２が設けられている。第１のフック部６１はベース部６０ａの幅方向Ｘ１の一側に配置され、第２のフック部６２はベース部６０ａの幅方向Ｘ１の他側に配置されている。この第１のフック部６１は、操作部６０ｂから離れた側に位置する第１フック片６１ａと、操作部６０ｂに近い側に位置する第２フック片６１ｂにより構成されている。同様に、この第２のフック部６２は、操作部６０ｂから離れた側に位置する第１フック片６２ａと、操作部６０ｂに近い側に位置する、第２フック片６２ｂにより構成されている。
【００４９】
第１のフック部６１の２つのフック片６１ａ，６１ｂはベース部６０ａの長手方向Ｙ１に直列をなすように配置され、同様に、第２のフック部６２の２つのフック片６２ａ，６２ｂはベース部６０ａの長手方向Ｙ１に直列をなすように配置されている。そして、４つのフック片６１ａ，６１ｂ，６２ａ，６２ｂは、ベース部６０ａの長手方向Ｙ１を基準として左右対称をなすように配置されている。また、４つのフック片６１ａ〜６２ｂの各先端には、操作部６０ｂ側に突出する爪部がそれぞれ設けられている。各爪部は、ベース部６０ａと略平行をなすよう適当な長さに延在されている。これら４つのフック片６１ａ〜６２ｂが、背面側からリアパネル２１Ｄの４つの貫通穴５１ａ，５１ｂ，５２ａ，５２ｂにそれぞれ摺動可能に挿通されている。なお、４つのフック片６１ａ〜６２ｂの各爪部の先端の内面及び外面には、バッテリー装置１の第１の係合部７及び第２の係合部８との係合・離脱を容易にするために適当な大きさを有する傾斜面を設けることが好ましい。
【００５０】
更に、４つのフック片６１ａ〜６２ｂの各爪部には、バッテリー装置１の第２の判別用凹部９ａ，９ｂ及び第３の判別用凹部１３ａ，１３ｂにそれぞれ挿入される第１の判別用凸部５３ａ，５３ｂ及び第２の判別用凸部５４ａ，５４ｂが設けられている。４つの判別用凸部５３ａ〜５４ｂは、各爪部の外面にベース部６０ａから離れる方向へ突出して形成されている。この４つの判別用凸部５３ａ〜５４ｂは、装着部４４に装着可能な第１のバッテリー装置１とそうでない第２のバッテリー装置を判別する役割を有しており、第１のバッテリー装置１は装着可能であるが、外形が略同一であって第２の判別用凹部９ａ，９ｂ及び第３の判別用凹部１３ａ，１３ｂを有していない第２のバッテリー装置は装着できないようになっている。
【００５１】
このような機能を確保するため、第１の判別用凸部５３ａを有する第１のフック部６１の第１フック片６１ａは図９Ａ〜図９Ｃに示すように、装着部４４に装着されたバッテリー装置１の第１の係合部７の第２係合片７ｂに係合でき且つ第２の判別用凹部９ａに挿入することができる位置関係に設けられている。同様に、第１の判別用凸部５３ｂを有する第１のフック部６１の第２フック片６１ｂは、バッテリー装置１の第１の係合部７の第３係合片７ｃに係合でき且つ第２の判別用凹部９ｂに挿入することがきる位置関係に設けられている。そして、第２の判別用凸部５４ａを有する第２のフック部６２の第１フック片６２ａは、バッテリー装置１の第２の係合部８の第２係合片８ｂに係合でき且つ第３の判別用凹部１３ａに挿入することができる位置関係に設けられている。同様に、第２の判別用凸部５４ｂを有する第２のフック部６２の第２フック片６２ｂ、バッテリー装置１の第２の係合部８の第３係合片８ｃに係合でき且つ第３の判別用凹部１３ｂに挿入することができる位置関係に設けられている。そして、第１の判別用凸部５３ａ〜５４ｂは、本出願の凸部の一具体例を示している。
【００５２】
この４つのフック片６１ａ〜６２ｂが４つの貫通穴５１ａ，５１ｂ，５２ａ，５２ｂに挿通されている状態を、図７に示している。この挿通状態では、スライド部材６０の操作部６０ｂに設けた操作用凸部６６が、リアパネル２１Ｄの上化粧面部４８に設けた挿通穴４８ａに摺動可能に挿通され、これにより操作用凸部６６の先端が背面側に突出されている。操作用凸部６６は、４つのフック片６１ａ〜６２ｂと同方向に略同じ高さで突出されている。また、スライド部材６０のベース部６０ａには、コイルばね６５を収容するための長穴６７と、他の部品との干渉を避けるための開口窓６８とが設けられている。
【００５３】
ベース部６０ａの長穴６７の長手方向Ｙ１の一側には、コイルばね６５の一端が着座されるスライド側のばね受け片６９が設けられている。この長穴６７の長手方向Ｙ１の他側には、ばね受け片６９と対向するように設けたリアパネル２１Ｄ側のばね受け部７１が挿入される。ばね受け部７１は、リアパネル２１Ｄの背面に設けられており、このばね受け部７１とばね受け片６９との間にコイルばね６５が圧縮された状態で介在されている。このコイルばね６５の弾性力によりスライド部材６０は、接続端子５６から離れる方向に常に付勢されている。
【００５４】
支持プレート部材６４は、リアパネル２１Ｄとの間でスライド部材６０を摺動可能に支持し、コイルばね６５の脱落を防止する機能を有する。この支持プレート部材６４は、リアパネル２１Ｄよりは小さいが、スライド部材６０よりは大きく形成されており、固定ねじによってリアパネル２１Ｄに締結固定されている。この支持プレート部材６４には、複数の取付ブラケット６４ａや固定部６４ｂが設けられている。
【００５５】
このような構成を有する装着部４４は、例えば、次のようにして組み立てることができる。まず、図８に示すように、リアパネル２１Ｄの背面にスライド部材６０を臨ませると共に、このスライド部材６０を挟むように、その背面に支持プレート部材６４を配置する。そして、スライド部材６０のベース部６０ａの一面に突出させた４つのフック片６１ａ，６１ｂ，６２ａ，６２ｂを、リアパネル２１Ｄの開口部４５内に設けた４つの貫通穴５１ａ，５１ｂ，５２ａ，５２ｂに背面から挿通して貫通させる。これにより、４つのフック片６１ａ〜６２ｂの先部がそれぞれ開口部４５内に突出され、各爪部の内面と開口部４５の底面部４５ａとの間に所定の隙間が設定される。
【００５６】
これと同時に、スライド部材６０の操作部６０ｂの先部に設けた操作用凸部６６を、リアパネル２１Ｄの開口部４５の上側に突出した上化粧面部４８に設けた挿通穴４８ａに挿通して貫通させる。次に、リアパネル２１Ｄのばね受け部７１とスライド部材６０のばね受け片６９との間にコイルばね６５を介在させる。その後、支持プレート部材６４をスライド部材６０に重ね合わせ、固定ねじで支持プレート部材６４をリアパネル２１Ｄに締付固定する。これにより、支持プレート部材６４とリアパネル２１Ｄとの間にスライド部材６０が摺動可能に支持される。そして、スライド部材６０は、コイルばね６５の弾性力により、常に接続端子５６から離れる方向に付勢される。これにより、装着部４４の組立が完了し、リアパネル２１Ｄの組み立てが可能となる。
【００５７】
このようにして構成される装着部４４に対するバッテリー装置１の着脱作業は、例えば、次のようにして行うことができる。図９Ａは、装着部４４を正面から見たリアパネル２１Ｄの説明図であり、図９Ｂは、バッテリー装置１の挿入開始時の状態、図９Ｃは、バッテリー装置１の挿入完了時のロック状態をそれぞれ示す説明図である。なお、図９Ｂ及び図９Ｃにおいて、第２の係合部８の３つの係合片８ａ，８ｂ，８ｃと第２のフック部６２の２つのフック片６２ａ，６２ｂ及び第２の突起片５５ｂとの係合関係は、左右対称に構成された第１の係合部７の３つの係合片７ａ，７ｂ，７ｃと第１のフック部６１の２つのフック片６１ａ，６１ｂ及び第１の突起片５５ａとの係合関係と同一であるため、ここでは第１の係合部７等からなる一方の組（第１の係合部７等）の動作について説明し、他方の組（第２の係合部８等）の動作の説明は省略する。
【００５８】
まず、バッテリー装置１を装着部４４に装着する場合について説明する。この場合は、図９Ｂに示すように、装着部４４の開口部４５の下辺にバッテリー装置１の出力端子３側の正面部を臨ませる。そして、バッテリー装置１の第１の面の幅方向Ｘの両側に設けた第１の係合部７の第１係合片７ａ及び第２の係合部８の第１係合片８ａを、開口部４５の下辺の両角部に設けた第１の突起片５５ａ及び第２の突起片５５ｂにそれぞれ引っ掛けるように係合させる。このような係合状態において、２つの突起片５５ａ，５５ｂとの接触部位を回動中心として、バッテリー装置１を装着部４４に近づけるように回動する。
【００５９】
これにより、バッテリー装置１の第２係合片７ｂが第１フック片６１ａに近づき、第３係合片７ｃが第２フック片６１ｂに接近し、第２係合片７ｂが第１フック片６１ａに接触する。この状態から、更にバッテリー装置１を回動させて開口部４５内に押し込むようにすることにより、コイルばね６５の弾性力に抗して、第２係合片７ｂが第１フック片６１ａを接続端子５６側に押圧して移動させる。そして、第２係合片７ｂが第１フック片６１ａを乗り越えると、次に、第３係合片７ｃが第２フック片６１ｂに接触する。そして、第３係合片７ｃが第２フック片６１ｂを乗り越えると、バッテリー装置１が開口部４５内に完全に挿入され、バッテリー装置１の第２の面である下面部５ａが装着部４４の第２の面である底面部４５ａに接触される。
【００６０】
その結果、バッテリー装置１の出力端子３が装着部４４の接続端子５６に接続される。これにより、バッテリー装置１とデジタルビデオカメラ２０が電気的に接続され、バッテリー装置１の電力が出力端子３から接続端子５６を経てデジタルビデオカメラ２０に供給される。これにより、デジタルビデオカメラ２０の操作が可能となり、被写体を撮影して記録媒体を記録したり、記録媒体に記録されている撮影情報を表示装置２３で見たりする等の各種の操作を行うことができる。
【００６１】
この場合、バッテリー装置１の第１の段差面６ａに設けた第２の判別用凹部９ａには、第１のフック部６１の第１フック片６１ａに設けた第１の判別用凸部５３ａが挿入される。同様に、バッテリー装置１の第２の段差面６ｂに設けた第３の判別用凹部１３ａには、第２のフック部６２の第１フック片６２ａに設けた第２の判別用凸部５４ａが挿入される。そして、バッテリー装置１の第１の段差面６ａに設けた第２の判別用凹部９ｂには、第１のフック部６１の第２フック片６１ｂに設けた第１の判別用凸部５３ｂが挿入される。同様に、バッテリー装置１の第２の段差面６ｂに設けた第３の判別用凹部１３ｂには、第２のフック部６２の第２フック片６２ｂに設けた第２の判別用凸部５４ｂが挿入される。
【００６２】
これにより、第１フック片６１ａと第２フック片６１ｂがフリーな状態になるため、コイルばね６５の弾性力によってスライド部材６０が接続端子５６から離れる方向にスライドする。その結果、図９Ｃに示すように、第１フック片６１ａが第２係合片７ｂに係合され、第２フック片６１ｂが第３係合片７ｃに係合される。同様に、第２のフック部６２では、第１フック片６２ａが第２係合片８ｂに係合され、第２フック片６２ｂが第３係合片８ｃに係合される。これにより、４つの係合片７ｂ，７ｃ，８ｂ，８ｃに係合する４つのフック片６１ａ，６１ｂ，６２ａ，６２ｂによってバッテリー装置１がロックされ、装着部４４に固定される。
【００６３】
これに対して、装着部４４に装着しようとするバッテリー装置が、第１の段差面６ａ及び第２の段差面６ｂに、装着部４４の第１の判別用凸部５３ａ，５３ｂ及び第２の判別用凸部５４ａ，５４ｂに対応した、第２の判別用凹部９ａ，９ｂ及び第３の判別用凹部１３ａ，１３ｂを有していない場合には、そのバッテリー装置を装着部４４に装着することは不可能である。
【００６４】
かくして、バッテリー装置１に第２の判別用凹部９ａ，９ｂ及び第３の判別用凹部１３ａ，１３ｂを設け、更に装着部４４にこれらに対応する第１の判別用凸部５３ａ，５３ｂ及び第２の判別用凸部５４ａ，５４ｂを設けている。これにより、バッテリー装置の種類が更に増えても、バッテリー装置１の第１の判別用凹部１５ａ，１５ｂの形状を更に複雑に形成することなく、簡単な構成によりバッテリー装置の種類を判別することができる。
【００６５】
この装着部４４に装着されたバッテリー装置１を取り出す場合には、図９Ｃに示すように、操作用凸部６６を、ユーザーが手動操作によって開放側へ操作する。即ち、この実施例においては、ユーザーが操作用凸部６６を押圧操作して、コイルばね６５の弾性力に抗して、スライド部材６０を接続端子５６側にスライドさせる。そして、４つのフック片６１ａ，６１ｂ，６２ａ，６２ｂが４つの係合片７ｂ，７ｃ，８ｂ，８ｃから離脱するところまでスライド部材６０を移動させることにより、バッテリー装置１の取り出しが可能となる。そこで、バッテリー装置１の出力端子３と反対側の端部を引き起こし、２つの突起片５５ａ，５５ｂに係合されている２つの第１係合片７ａ，８ａを中心にバッテリー装置１を回動させることにより、バッテリー装置１を装着部４４から取り出すことができる。
【００６６】
図１０及び図１１Ａは、本発明の電子機器に係る装着部の第２の実施例を示すものである。この装着部７４と前記第１の実施例に係る装着部４４と異なるところは、第１のフック部８１及び第２のフック部８２を、リアパネル７３の開口部７５に固定して設けると共に、装着部７４の所定の位置に装着されたバッテリー装置１の移動を制限するストッパ部材７７を設けた点である。その他の構成は前記第１の実施例と同一であるため、同一部分には同一の符号を付して重複した説明を省略し、異なる構成部分を重点的に説明する。
【００６７】
リアパネル７３の開口部７５は、略長方形をなす装着部７４の第２の面である底面部７５ａと、この底面部７５ａの長手方向Ｙ１の一側に連続され且つ当該底面部４５ａと略垂直をなす第１の面である下面部７５ｂと、底面部７５ａの長手方向Ｙ１と直交する幅方向Ｘ１の一側に連続され且つ当該底面部７５ａと略垂直をなす左側面部７５ｄと、底面部７５ａの幅方向Ｘ１の他側に連続され且つ当該底面部７５ａと略垂直をなす右側面部７５ｅとを有している。この底面部７５ａと下面部７５ｂと左側面部７５ｄ及び右側面部７５ｅによって装着部７４のための開口部７５が構成されている。この開口部７５は、長手方向Ｙ１を上下方向に向けた状態でリアパネル７３に設けられている。
【００６８】
第１のフック部８１は、接続端子５６側に位置する第１フック片８１ａと、この第１フック片８１ａとの間に長手方向Ｙ１に所定の間隔をあけて配置された第２フック片８１ｂを有している。第１フック片８１ａは、リアパネル７３の左側面部７５ｄから内側へ突出するように一体に形成されている。この第１フック片８１ａの接続端子５６側に、第１の突起片５５ａが設けられている。同様の、第２のフック部８２は、接続端子５６側に位置する第１フック片８２ａと、この第１フック片８２ａとの間に長手方向Ｙ１に所定の間隔をあけて配置された第２フック片８２ｂを有している。第１フック片８２ａは、リアパネル７３の右側面部７５ｅから内側へ突出するように一体に形成されている。この第１フック片８２ａの接続端子５６側に、第２の突起片５５ｂが設けられている。
【００６９】
第１のフック部８１の第２フック片８１ｂは、開口部７５の底面部７５ａから左側面部７５ｄに連続して一体に形成されている。また、第２のフック部８２の第２フック片８２ｂは、開口部７５の底面部７５ａから右側面部７５ｅに連続して一体に形成されている。これら４つのフック片８１ａ，８１ｂ，８２ａ，８２ｂと左右の突起片５５ａ，５５ｂに関連して底面部７５ａには、金型を用いて射出成形するための鋳抜き用の穴７８がそれぞれ設けられている。そして、第２の突起片５５ｂと接続端子５６用の嵌合穴５０との間には、バッテリー装置１の種類を判別するための判別用突起部７９が設けられている。
【００７０】
また、４つのフック片８１ａ〜８２ｂの各爪部には、前記第１の実施例と同様にバッテリー装置１の第２の判別用凹部９ａ，９ｂ及び第３の判別用凹部１３ａ，１３ｂにそれぞれ挿入される判別用凸部５３ａ，５３ｂ，５４ａ，５４ｂが設けられている。４つの判別用凸部５３ａ〜５４ｂは、各爪部の外面に底面部７５ａから離れる方向へ突出して形成されている。
【００７１】
ストッパ部材７７は、装着部７４の下面部７５ｂと反対側で右側面部７５ｅに接触するように配置されている。このストッパ部材７７は、装着部７４に装着されたバッテリー装置１の上部に突出して当該バッテリー装置１の長手方向Ｙ１上方への移動を規制するストッパ部７７ａと、このストッパ部７７ａに連続すると共に開口部７５の前方に突出される操作部７７ｂとから構成されている。このストッパ部材７７は、図示しない弾性部材によって常に前方へ突出するように付勢されており、このときストッパ部７７ａがバッテリー装置１の上方に突出され、バッテリー装置１の移動を阻止して装着部７４からの抜け出しを防止している。また、弾性部材の弾性力に抗して操作部７７ｂを押圧してストッパ部７７ａを後退させることにより、ストッパ部７７ａの表面が底面部７５ａと同一面に押し下げられる。これにより、バッテリー装置１の長手方向Ｙ１への移動が可能となる。
【００７２】
このような構成を有する装着部７４に対する本発明の第１の実施例に係るバッテリー装置１の着脱作業は、例えば、次のようにして行うことができる。図１１Ａは、装着部４４を正面から見たリアパネル７３の説明図であり、図１１Ｂは、バッテリー装置１の挿入開始時の状態、図１１Ｃは、バッテリー装置１の挿入完了時のロック状態をそれぞれ示す説明図である。なお、図１１Ｂ及び図１１Ｃにおいて、第２の係合部８の３つの係合片８ａ，８ｂ，８ｃと第２のフック部８２の２つのフック片８２ａ，８２ｂ及び第２の突起片５５ｂとの係合関係は、左右対称に構成された第１の係合部７の３つの係合片７ａ，７ｂ，７ｃと第１のフック部８１の２つのフック片８１ａ，８１ｂ及び第１の突起片５５ａとの係合関係と同一であるため、ここでは第１の係合部７等からなる一方の組（第１の係合部７等）の動作について説明し、他方の組（第２の係合部８等）の動作の説明は省略する。
【００７３】
まず、バッテリー装置１を装着部７４に装着する場合について説明する。この場合は、図１１Ｂに示すように、装着部７４の開口部７５の上側（接続端子５６の反対側）において、底面部７５ａにバッテリー装置１の下面部５ａを略平行にして臨ませる。そして、バッテリー装置１を、ストッパ部材７７の付勢力に抗して押し込み、第１の係合部７の第１係合片７ａと第２係合片７ｂとの間の第１の開口部１０ａに第１のフック部８１の第１フック片８１ａを挿入する。同時に、第１の係合部７の第２係合片７ｂと第３係合片７ｃとの間の第２の開口部１０ｂに第１のフック部８１の第２フック片８１ｂを挿入する。これにより、バッテリー装置１の第２の面である下面部５ａが装着部７４の第２の面である底面部７５ａに接触される。
【００７４】
この場合、前記実施例と同様にバッテリー装置１の第１の段差面６ａに設けた第２の判別用凹部９ａには、第１のフック部８１の第１フック片８１ａに設けた第１の判別用凸部５３ａが挿入される。同様に、バッテリー装置１の第２の段差面６ｂに設けた第３の判別用凹部１３ａには、第２のフック部８２の第１フック片８２ａに設けた第２の判別用凸部５４ａが挿入される。そして、バッテリー装置１の第１の段差面６ａに設けた第２の判別用凹部９ｂには、第１のフック部８１の第２フック片８１ｂに設けた第１の判別用凸部５３ｂが挿入される。同様に、バッテリー装置１の第２の段差面６ｂに設けた第３の判別用凹部１３ｂには、第２のフック部８２の第２フック片８２ｂに設けた第２の判別用凸部５４ｂが挿入される。
【００７５】
次いで、バッテリー装置１を接続端子５６１側にスライドさせる。これにより、図１１Ｃに示すように、第１のフック部８１では、第２係合片７ｂが第１フック片８１ａに係合され、第３係合片７ｃが第２フック片８１ｂに係合される。同様に、第２のフック部８２では、第２係合片８ｂが第１フック片８２ａに係合され、第３係合片８ｃが第２フック片８２ｂに係合される。これにより、４つの係合片７ｂ，７ｃ，８ｂ，８ｃに係合する４つのフック片８１ａ，８１ｂ，８２ａ，８２ｂによってバッテリー装置１がロックされる。これと同時に、ストッパ部材７７が外側に付勢されることにより、ストッパ部７７ａがバッテリー装置１の上方に突出され、ストッパ部７７ａがバッテリー装置１の第３の段差面６ｃと接触する。これにより、バッテリー装置１の長手方向Ｙ１への移動が阻止され、バッテリー装置１の装着部７４からの抜け出しが防止される。
【００７６】
このとき、バッテリー装置１の出力端子３が装着部７４の接続端子５６に接続される。これにより、バッテリー装置１とデジタルビデオカメラ２０が電気的に接続され、バッテリー装置１の電力が出力端子３から接続端子５６を経てデジタルビデオカメラ２０に供給される。これにより、デジタルビデオカメラ２０の操作が可能となり、被写体を撮影して記録媒体を記録したり、記録媒体に記録されている撮影情報を表示装置２３で見たりする等の各種の操作を行うことができる。
【００７７】
また、装着部７４に装着しようとするバッテリー装置が、第１の段差面６ａ及び第２の段差面６ｂに、装着部７４の第１の判別用凸部５３ａ，５３ｂ及び第２の判別用凸部５４ａ，５４ｂに対応した、第２の判別用凹部９ａ，９ｂ及び第３の判別用凹部１３ａ，１３ｂを有していない場合には、そのバッテリー装置を装着部７４に装着することは不可能である。
【００７８】
かくして、この実施例の装着部７４は、従来の判別用突起部７９に加えて、第１の判別用凸部５３ａ，５３ｂ及び第２の判別用凸部５４ａ，５４ｂを設けている。従って、バッテリー装置の種類が更に増えても、判別用突起部７９の形状を複雑にすることなく、簡単な構成によりバッテリー装置の種類を判別することができる。また、バッテリー装置１は、第１の実施例の装着部４４だけでなく、装着構造の異なる第２の実施例の装着部７４に対しても装着することができる。
【００７９】
次に、装着部７４に装着されたバッテリー装置１を取り出す場合には、図１１Ｃに示すように、操作部７７ｂを、ユーザーが手動操作によって開放側へ操作する。即ち、この実施例においては、ユーザーが操作部７７ｂを押圧操作して、弾性体の付勢力に抗してストッパ部材７７のストッパ部７７ａの表面を底面部７５ａと同一面まで押し下げる。この状態から、バッテリー装置１を、４つの係合片７ｂ，７ｃ，８ｂ，８ｃが４つのフック片８１ａ，８１ｂ，８２ａ，８２ｂから離脱するところまでスライドさせる。これにより、４つの係合片７ｂ，７ｃ，８ｂ，８ｃと４つのフック片８１ａ，８１ｂ，８２ａ，８２ｂによる係合状態が解除され、バッテリー装置１の取出しが可能となる。このとき、バッテリー装置１の出力端子３が接続端子５６から引き剥がされ、バッテリー装置１とデジタルビデオカメラ２０との電気的接続が解除される。そこで、バッテリー装置１を開口部７５から引き離す方向へ引き抜くことにより、バッテリー装置１を取り出すことができる。
【００８０】
図１２及び図１３は、本発明のバッテリー装置の第２の実施例を示すものである。この第２の実施例に係るバッテリー装置１Ａと前記第１の実施例に係るバッテリー装置１が異なるところは、第２の判別用凹部９Ａを、第１の段差面６ａＡの角部を出力端子３側の一端から長手方向Ｙに沿って所定の長さＲをもって面取りして設け、同様に、第３の判別用凹部１３Ａを、第２の段差面６ｂＡの角部を出力端子３側の一端から長手方向Ｙに沿って所定の長さＲをもって面取りして設けた点である。その他の構成は、前記第１の実施例に係るバッテリー装置１と同様である。
【００８１】
この実施例では、第２の判別用凹部９Ａ及び第３の判別用凹部１３Ａの長手方向Ｙの長さＲは、出力端子３側の一端から第３のリブ１１ｃ，１２ｃが位置するまでの長さと略同一若しくはそれ以下に設定されている。しかしながら、本願発明の第２の判別用凹部９Ａ及び第３の判別用凹部１３Ａの長さＲは、この実施例のものに限定されるものではなく、バッテリー装置の種類に応じて種々に変更してもよい。例えば、第２の判別用凹部９Ａ及び第３の判別用凹部１３Ａの長手方向Ｙにおける長さＲを変えて非対称に形成してもよい。また、第１の段差面６ａＡ及び第２の段差面６ｂＡのどちらか一方に第２の判別用凹部９Ａ又は第３の判別用凹部１３Ａを形成してもよい。更に、第１の段差面６ａＡ及び第２の段差面６ｂＡの角部の面取りの深さを種々に変更してもよい。
【００８２】
図１４及び図１５は、前述した第２の実施例に係るバッテリー装置１Ａに対応した、本発明の電子機器に係る装着部の第３の実施例を示すものである。この装着部７４Ａと前記第２の実施例に係る装着部７４と異なるところは、第１のフック部８１Ａ及び第２のフック部８２Ａの各爪部に設けた第１の判別用凸部５３ａＡ，５３ｂＡ及び第２の判別用凸部５４ａＡ，５４ｂＡの形状を、バッテリー装置１Ａの第２の判別用凹部９Ａ及び第３の判別用凹部１３Ａの形状に対応して形成した点である。その他の構成は、前記第２の実施例に係る装着部７４と同様である。
【００８３】
この実施例では、図１４及び図１５に示すように、第１のフック部８１Ａの第１フック片８１ａＡ及び第２フック片８１ｂＡの側面には、バッテリー装置１Ａの第２の判別用凹部９Ａの傾斜角度に対応した傾斜面を設けている。そして、第１の判別用凸部５３ａＡ，５３ｂＡの側面には、第１のフック部８１Ａの側面の傾斜面に連続して一体に形成された傾斜面を設けている。同様に、第２のフック部８２Ａの第１フック片８２ａＡ及び第２フック片８２ｂＡの側面には、バッテリー装置１Ａの第３の判別用凹部１３Ａの傾斜角度に対応した傾斜面を設けている。そして、第２の判別用凸部５４ａＡ，５４ｂＡの側面には、第２のフック部８２Ａの側面の傾斜面に連続して一体に形成された傾斜面を設けている。
【００８４】
また、図１６は、前述した第２の実施例に係るバッテリー装置１Ａに対応した本発明の電子機器に係る装着部の第４の実施例を示すものである。この実施例に係る装着部１０４は、中空のバッテリーホルダー１０３から構成されている。
【００８５】
装着部１０４は、略長方形をなす装着部１０４の第２の面である底面部１０５ａと、この底面部１０５ａの長手方向Ｙ２の一側に連続され且つ当該底面部１０５ａと略垂直をなす第１の面を有する下面部１０５ｂと、下面部１０５ｂと対向し且つ当該下面部１０５ｂと同一形状に開口された開口面１０５ｃと、底面部１０５ａの長手方向Ｙ２と直交する幅方向Ｘ２の一側から所定の段差をもって連続された左段差面１０７ａを有し且つ当該底面部１０５ａと略垂直をなす左側面部１０５ｄと、底面部１０５ａの幅方向Ｘ２の他側に所定の段差をもって連続された右段差面１０７ｂを有し且つ当該底面部１０５ａと略垂直をなす右側面部１０５ｅと、底面部１０５ａと対向し且つ下面部１０５ｂと略垂直をなすように連続された正面部１０５ｆとを有している。そして、正面部１０５ｆの左側面部１０５ｄが交わる角部及び正面部１０５ｆの右側面部１０５ｅが交わる角部は、それぞれ曲率半径の大きな円弧状に形成されている。更に、この底面部１０５ａ、下面部１０５ｂ、開口面１０５ｃ、左側面部１０５ｄ、右側面部１０５ｅ及び正面部１０５ｆによって装着部１０４が構成されている。この装着部１０４は、長手方向Ｙ２を上下方向に向けた状態でバッテリーホルダー１０３内に設けられている。
【００８６】
左段差面１０７ａと右段差面１０７ｂは、底面部１０５ａからの高さ方向Ｚ２の長さ（高さ）がバッテリー装置１Ａの第１の段差面６ａＡ及び第２の段差面６ｂＡと略同じ高さに設定されている。更に、左段差面１０７ａと右段差面１０７ｂは、底面部１０５ａに対してそれぞれが略平行をなすように形成されている。更に、図１６等に示すように、装着部１０４は、底面部１０５ａの幅方向Ｘ２の一側と左段差面１０７ａの幅方向Ｘ２の一側を接続し且つ底面部１０５ａと左段差面１０７ａと略垂直をなす左接続面１０６ａと、底面部１０５ａの幅方向Ｘ２の他側と右段差面１０７ｂの幅方向Ｘ２の一側を接続し且つ底面部１０５ａと右段差面１０７ｂと略垂直をなす右接続面１０６ｂとを設けている。
【００８７】
左接続面１０６ａは、下面部１０５ｂ側の一端から長手方向Ｙ２に所定の長さをもって連続して形成された第１のフック部１１１を設けている。そして、この第１のフック部１１１は、左接続面１０６ａから内側へ所定の幅と厚みとをもって突出するように一体に形成されている。同様に、右接続面１０６ｂは、下面部１０５ｂ側の一端から長手方向Ｙ２に所定の長さをもって連続して形成された第２のフック部１１２を設けている。そして、この第２のフック部１１２は、右接続面１０６ｂから内側へ所定の幅と厚みをもって突出するように一体に形成されている。
【００８８】
また、左段差面１０７ａと左側面部１０５ｄが交わる角部には、下面部１０５ｂ側の一端から長手方向Ｙ２に所定の長さをもって連続して一体に形成された第１の判別用凸部１１３を設けている。この第１の判別用凸部１１３は、左段差面１０７ａと左側面部１０５ｄを所定の傾斜角度で接続するように形成されている。同様に、右段差面１０７ｂと右側面部１０５ｅが交わる角部には、下面部１０５ｂ側の一端から長手方向Ｙ２に所定の長さをもって連続して一体に形成された第２の判別用凸部１１４を設けている。この第２の判別用凸部１１４は、右段差面１０７ｂと右側面部１０５ｅを所定の傾斜角度で接続するように形成されている。
【００８９】
このような構成を有する装着部１０４に対するバッテリー装置１Ａの着脱作業は、例えば、次のようにして行うことができる。まず、バッテリー装置１Ａを装着部１０４に装着する場合について説明する。この場合は、装着部１０４の上側において、バッテリー装置１Ａの第１の面である正面部５ｂを装着部１０４の開口面１０５ｃに向けて臨ませる。そして、バッテリー装置１Ａの第１の係合部７を第１のフック部１１１に係合させ、同様に、バッテリー装置１Ａの第２の係合部８を第２のフック部１１２に係合させる。次いで、第１のフック部１１１及び第２のフック部１１２に沿って、バッテリー装置１Ａを出力端子３と接続端子５６が係合されるまで装着部１０４に挿入する。
【００９０】
これにより、第１のフック部１１１と、バッテリー装置１Ａの第１の係合部７の第１係合片７ａ，第２係合片７ｂ，第３係合片７ｃが係合される。同様に、第２のフック部１１２と、バッテリー装置１Ａの第２の係合部８の第１係合片８ａ，第２係合片８ｂ，第３係合片７ｃが係合される。これにより、バッテリー装置１Ａの高さ方向Ｚ２への移動を阻止することができる。また、図１７に示すように、この実施例によれば、高さ方向Ｚ２の寸法がバッテリー装置１Ａよりも長い装着部１０４Ａに収納することができる。
【００９１】
また、バッテリー装置１Ａの出力端子３から最も遠い位置にある第３のリブ１１ｃ，１２ｃの突出量（幅）は、第３係合片７ｃ，８ｃの突出量（幅）Ｎと略同一に設定されている。これにより、バッテリー装置１Ａを背面部から装着部１０４に挿入した場合、第３のリブ１１ｃ，１２ｃが第１のフック部１１１及び第２のフック部１１２に当接する。よって、ユーザーは、バッテリー装置１Ａの挿入向きが誤ったことを瞬時に判断できる。
【００９２】
次に、装着部１０４に装着されたバッテリー装置１Ａを取り出す場合には、ユーザーが、装着部１０４から露出しているバッテリー装置１Ａの一部を掴み上方へ引き抜くことにより、バッテリー装置１Ａを取り出すことができる。また、図示しないバッテリー装置取り出し部により、バッテリー装置１Ａを装着部１０４から押し出すことによって取り出してもよい。
【００９３】
このような構成を有するバッテリー装置１Ａによっても、前述した第１の実施例に係るバッテリー装置１と同様の効果を得ることができる。即ち、バッテリー装置の種類が更に増えても、バッテリー装置１の第１の判別用凹部１５ａ，１５ｂの形状を更に複雑にすることなく、簡単な構成によりバッテリー装置の種類を判別することができる。また、バッテリー装置１Ａは、装着構造の異なる装着部に対しても装着することができ、バッテリー装置の有効利用を図ることができる。
【００９４】
以上説明したように、本発明のバッテリー装置、電子機器及びバッテリーシステムによれば、バッテリー装置及び電子機器が異なった取り付け構造を有する場合にも、バッテリー装置の種類の判別を行うことができ、１つのバッテリー装置を複数の電子機器に用いたり、これとは逆に、１つのバッテリー装置を１つの電子機器に専用部品として用いたりすることができる。これにより、バッテリー装置の誤使用を防止することができ、所定のバッテリー装置を所定の電子機器に用いて、安全性の向上を図ることができる。また、凸部の長さ、幅、位置を変えることにより、複数段階の種類判別を行うことができる。
【００９５】
尚、本発明は前述しかつ図面に示した実施の形態に限定されるものではなく、その要旨を逸脱しない範囲内で種々の変形実施が可能である。例えば、前記実施例では、撮像装置の具体例としてデジタルビデオカメラに適用した例について説明したが、アナログビデオカメラに適用できることは勿論のこと、電子スチルカメラ、パーソナルコンピュータ、電子辞書、ＤＶＤプレーヤ、カーナビゲーションその他各種の電子機器に適用できるものである。また、前記実施例においては、バッテリー装置には６つの係合片を設け、装着部には４つのフック片又は２つのフック部を設けた例について説明したが、係合片、フック片及びフック部の数は、これらに限定されるものではないことは勿論である。
【図面の簡単な説明】
【００９６】
【図１】本発明のバッテリー装置の第１の実施例を示す底面側から見た斜視図である。
【図２】本発明のバッテリー装置の第１の実施例を示すもので、図２Ａは底面図、図２Ｂは左側面図である。
【図３】本発明のバッテリー装置の第１の実施例を示すもので、図３Ａは正面図、図３Ｂは背面図、図３Ｃは図２ＢのＤ−Ｄ線断面図である。
【図４】本発明の電子機器の一実施例として示す撮像装置の一具体例であるデジタルビデオカメラを正面側から見た斜視図。
【図５】本発明の電子機器の一実施例として示す撮像装置の一具体例であるデジタルビデオカメラを背面側から見た斜視図である。
【図６】本発明の電子機器の一実施例として示す撮像装置の一具体例であるデジタルビデオカメラの背面図である。
【図７】図４に示したデジタルビデオカメラの装着部を有するリアペネルの斜視図である。
【図８】図４に示したデジタルビデオカメラの装着部を有するリアペネル、スライド部材及び支持プレート部材の分解斜視図である。
【図９】図７に示したリアパネル等を示すもので、図９Ａはリアパネルの正面図、図９Ｂはバッテリー装置の装着時の初期状態を示す説明図、図９Ｃは装着後の状態を示す説明図である。
【図１０】本発明の電子機器の一実施例として示す撮像装置に係る装着部を有するリアパネルの第２の実施例を示す斜視図である。
【図１１】図１０に示したリアパネル等を示すもので、図１０Ａはリアパネルの正面図、図１０Ｂはバッテリー装置の装着時の初期状態を示す説明図、図１０Ｃは装着後の状態を示す説明図である。
【図１２】本発明のバッテリー装置の第２の実施例を示す底面側から見た斜視図である。
【図１３】本発明のバッテリー装置の第２の実施例を示す正面図である。
【図１４】本発明の電子機器の一実施例として示す撮像装置に係る装着部を有するリアパネルの第３の実施例を示す斜視図である。
【図１５】図１４に示したリアパネル等を示すもので、バッテリー装置を装着した状態における図１４のＵ−Ｕ線断面図である。
【図１６】本発明の電子機器に係る装着部の第４の実施例を示す正面側から見た斜視図である。
【図１７】バッテリー装置よりも高さ方向Ｚ２の寸法が十分に長い第４の実施例に係る装着部に、バッテリー装置を装着した状態における断面図である。
【符号の説明】
【００９７】
１，１Ａ…バッテリー装置、  ２…バッテリー筐体、  ３…出力端子、  ４…上ケース、５…下ケース、  ５ａ…下面部（第２の面）、  ５ｂ…正面部（第１の面）、  ６ａ，６ａＡ，６ｂ，６ｂＡ，６ｃ…段差面、  ７…第１の係合部、  ８…第２の係合部、  ７ａ，８ａ…第１係合片、  ７ｂ，８ｂ…第２係合片、  ７ｃ，８ｃ…第３係合片、  ９，９Ａ…第２の判別用凹部（凹部）、  １３，１３Ａ…第３の判別用凹部（凹部）、  ２０…デジタルビデオカメラ（電子機器）、  ２１…外装ケース（ケース本体）、  ２１Ｄ，７３…リアパネル、  ４４，７４，７４Ａ，１０４，１０４Ａ…装着部、  ５３ａ，５３ａＡ，５３ｂＡ，５３ｂＡ，１１３…第１の判別用凸部（凸部）、  ５４ａ，５４ａＡ，５４ｂ，５４ｂａ，１１４…第２の判別用凸部（凸部）、  ５５ａ，５５ｂ…突起片、  ５６…接続端子、  ６０…スライド部材、  ６１，８１，８１Ａ，１１１…第１のフック部、  ６２，８２，８２Ａ，１１２…第２のフック部、  ６１ａ，６２ａ，８１ａ，８１ａＡ，８２ａ，８２ａＡ…第１フック片、  ６１ｂ，６２ｂ，８１ｂ，８１ｂＡ，８２ｂ，８２ｂＡ…第２フック片  Ｘ，Ｘ１，Ｘ２…幅方向、  Ｙ，Ｙ１，Ｙ２…長手方向、  Ｚ，Ｚ１，Ｚ２…高さ方向
【図１】
2008053155.tif 000003
【図２】
2008053155.tif 000004
【図３】
2008053155.tif 000005
【図４】
2008053155.tif 000006
【図５】
2008053155.tif 000007
【図６】
2008053155.tif 000008
【図７】
2008053155.tif 000009
【図８】
2008053155.tif 000010
【図９】
2008053155.tif 000011
【図１０】
2008053155.tif 000012
【図１１】
2008053155.tif 000013
【図１２】
2008053155.tif 000014
【図１３】
2008053155.tif 000015
【図１４】
2008053155.tif 000016
【図１５】
2008053155.tif 000017
【図１６】
2008053155.tif 000018
【図１７】
2008053155.tif 000019
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
バッテリーセルが内蔵された略直方体をなすバッテリー筐体と、
前記バッテリー筐体の少なくとも第１の面の幅方向の略中央において出力部が露出するように配置され且つ前記バッテリーセルの電力を出力する出力端子と、を備え、
前記バッテリー筐体は、
前記第１の面と略垂直をなす第２の面と、
前記第２の面の前記幅方向の一側に所定の段差をもって連続されて略平行に設けられた第１の段差面と、
前記第２の面の前記幅方向の他側に所定の段差をもって連続されて略平行に設けられた第２の段差面と、
前記第２の面から前記幅方向の一側に所定の幅と厚みで突出された第１の係合部と、
前記第２の面から前記幅方向の他側に所定の幅と厚みで突出された第２の係合部と、
前記第１の段差面と前記第１の係合部とによって形成された第１の溝部と、
前記第２の段差面と前記第２の係合部とによって形成された第２の溝部と、を有し、
前記第１の段差面及び前記第２の段差面の少なくとも一方に凹部を設けた
ことを特徴とするバッテリー装置。
【請求項２】
前記凹部は、前記第１の段差面及び前記第２の段差面の各面にそれぞれ略対称に設けた
ことを特徴とする請求項１記載のバッテリー装置。
【請求項３】
前記凹部は、前記第１の段差面及び前記第２の段差面の少なくとも一方の面において、前記幅方向と直交する長手方向に所定の間隔をあけて複数設けた
ことを特徴とする請求項１記載のバッテリー装置。
【請求項４】
前記凹部は、前記第１の段差面及び前記第２の段差面の少なくとも一方の面において、
前記幅方向と直交する長手方向に沿って面取りするように所定の長さに設けた
ことを特徴とする請求項１記載のバッテリー装置。
【請求項５】
バッテリーセルが内蔵された略直方体をなすバッテリー筐体を有するバッテリー装置が着脱可能に装着される装着部と、
前記装着部の少なくとも第１の面の幅方向の略中央において接続部が露出するように配置され且つ前記バッテリー装置の前記バッテリーセルの電力を出力する出力端子に着脱可能に接続される接続端子と、を備え、
前記装着部は、
前記第１の面と略垂直をなす第２の面と、
前記第２の面との間に所定の間隔をあけて設けられると共に前記バッテリー筐体に設けられた第１の係合部に着脱可能に係合される第１のフック部と、
前記第２の面との間に所定の間隔をあけて設けられると共に前記バッテリー筐体に設けられた第２の係合部に着脱可能に係合される第２のフック部と、を有し、
前記第１のフック部及び前記第２のフック部の少なくとも一方には、前記第２の面から離れる方向へ突出する凸部を設けた
ことを特徴とする電子機器。
【請求項６】
前記第１のフック部及び前記第２のフック部は、前記装着部に固定して設けた
ことを特徴とする請求項５記載の電子機器。
【請求項７】
前記第１のフック部及び前記第２のフック部は、前記装着部において前記幅方向と直交する長手方向へ進退移動可能に設けた、
ことを特徴とする請求項５記載の電子機器。
【請求項８】
バッテリーセルを有するバッテリー装置と、
前記バッテリー装置が着脱可能に装着される装着部を有する電子機器との組み合わせからなるバッテリーシステムであって、
前記バッテリー装置は、
前記バッテリーセルが内蔵された略直方体をなすバッテリー筐体と、
前記バッテリー筐体の少なくともバッテリー側第１の面の幅方向の略中央において出力部が露出するように配置され且つ前記バッテリーセルの電力を出力する出力端子と、を備え、
前記バッテリー筐体は、
前記バッテリー側第１の面と略垂直をなすバッテリー側第２の面と、
前記バッテリー側第２の面の前記幅方向の一側に所定の段差をもって連続されて略平行に設けられた第１の段差面と、
前記バッテリー第２の面の前記幅方向の他側に所定の段差をもって連続されて略平行に設けられた第２の段差面と、
前記バッテリー側第２の面から前記幅方向の一側に所定の幅と厚みで突出された第１の係合部と、
前記バッテリー側第２の面から前記幅方向の他側に所定の幅と厚みで突出された第２の係合部と、
前記第１の段差面と前記第１の係合部とによって形成された第１の溝部と、
前記第２の段差面と前記第２の係合部とによって形成された第２の溝部と、を有し、
前記第１の段差面及び前記第２の段差面の少なくとも一方に凹部を設け、
前記電子機器は、
前記装着部の少なくとも電子機器側第１の面の幅方向の略中央において接続部が露出するように配置され且つ前記バッテリー装置の前記バッテリーセルの電力を出力する出力端子に着脱可能に接続される接続端子と、を備え、
前記装着部は、
前記電子機器側第１の面と略垂直をなす電子機器側第２の面と、
前記電子機器側第２の面との間に所定の間隔をあけて設けられると共に前記バッテリー筐体に設けられた第１の係合部に着脱可能に係合される第１のフック部と、
前記電子機器側第２の面との間に所定の間隔をあけて設けられると共に前記バッテリー筐体に設けられた第２の係合部に着脱可能に係合される第２のフック部と、を有し、
前記第１のフック部及び前記第２のフック部の少なくとも一方には、前記凹部に着脱可能に係合される凸部を設けた
ことを特徴とするバッテリーシステム。
【手続補正２】
【補正対象書類名】明細書
【補正対象項目名】０００２
【補正方法】変更
【補正の内容】
【０００２】
従来の、この種のバッテリー装置としては、例えば、特許文献１に記載されているようなものがある。特許文献１には、例えば電子機器の電源として用いる充電型のバッテリーセルが収納されたバッテリーパック、及びバッテリーパック等が装着されるバッテリー装着装置、並びにバッテリーパック等が装着されるバッテリー装着機構を備える電子機器に関するものが記載されている。この特許文献１に記載されたバッテリーパックは、「バッテリーセルと、前記バッテリーセルを収納するケースと、前記ケースに配され前記バッテリーセルの電力を出力する出力端子と、前記出力端子が配された前記ケースの第１の面に連設し、前記第１の面にほぼ垂直に配された前記ケースの第２の面とを有し、前記第２の面のほぼ中央部に複数の段からなる凹部が形成されて構成される」ことを特徴としている。
【手続補正３】
【補正対象書類名】明細書
【補正対象項目名】０００９
【補正方法】変更
【補正の内容】
【０００９】
本発明のバッテリー装置は、バッテリーセルが内蔵された略直方体をなすバッテリー筐体と、バッテリー筐体の少なくとも第１の面の幅方向の略中央において出力部が露出するように配置され且つ前記バッテリーセルの電力を出力する出力端子と、を備えている。このバッテリー筐体は、第１の面と略垂直をなす第２の面と、第２の面の幅方向の一側に所定の段差をもって連続されて略平行に設けられた第１の段差面と、第２の面の幅方向の他側に所定の段差をもって連続されて略平行に設けられた第２の段差面と、第２の面から幅方向の一側に所定の幅と厚みで突出された第１の係合部と、第２の面から幅方向の他側に所定の幅と厚みで突出された第２の係合部と、第１の段差面と第１の係合部とによって形成された第１の溝部と、第２の段差面と第２の係合部とによって形成された第２の溝部と、を有している。そして、第１の段差面及び第２の段差面の少なくとも一方に凹部を設けたことを最も主要な特徴とする。
【手続補正４】
【補正対象書類名】明細書
【補正対象項目名】００１１
【補正方法】変更
【補正の内容】
【００１１】
本発明のバッテリーシステムは、バッテリーセルを有するバッテリー装置と、バッテリー装置が着脱可能に装着される装着部を有する電子機器との組み合わせからなるバッテリーシステムに関する。
バッテリー装置は、バッテリーセルが内蔵された略直方体をなすバッテリー筐体と、バッテリー筐体の少なくともバッテリー側第１の面の幅方向の略中央において出力部が露出するように配置され且つバッテリーセルの電力を出力する出力端子と、を備えている。このバッテリー装置のバッテリー筐体は、バッテリー側第１の面と略垂直をなすバッテリー側第２の面と、バッテリー側第２の面の幅方向の一側に所定の段差をもって連続されて略平行に設けられた第１の段差面と、バッテリー側第２の面の幅方向の他側に所定の段差をもって連続されて略平行に設けられた第２の段差面と、バッテリー側第２の面から幅方向の一側に所定の幅と厚みで突出された第１の係合部と、バッテリー側第２の面から幅方向の他側に所定の幅と厚みで突出された第２の係合部と、第１の段差面と第１の係合部とによって形成された第１の溝部と、第２の段差面と第２の係合部とによって形成された第２の溝部と、を有している。そして、第１の段差面及び第２の段差面の少なくとも一方に凹部を設けている。
電子機器は、装着部の少なくとも電子機器側第１の面の幅方向の略中央において接続部が露出するように配置され且つバッテリー装置のバッテリーセルの電力を出力する出力端子に着脱可能に接続される接続端子と、と備えている。この電子機器の装着部は、電子機器側第１の面と略垂直をなす電子機器側第２の面と、電子機器側第２の面との間に所定の間隔をあけて設けられると共にバッテリー筐体に設けられた第１の係合部に着脱可能に係合される第１のフック部と、電子機器側第２の面との間に所定の間隔をあけて設けられると共にバッテリー筐体に設けられた第２の係合部に着脱可能に係合される第２のフック部と、を有している。そして、第１のフック部及び第２のフック部の少なくとも一方には、凹部に着脱可能に係合される凸部を設けたことを特徴とする。
【手続補正５】
【補正対象書類名】明細書
【補正対象項目名】００１７
【補正方法】変更
【補正の内容】
【００１７】
この実施例で示すバッテリー筐体２は、図１に示すように長手方向Ｙの寸法がＬ、その長手方向と直交する幅方向Ｘの寸法がＷ、長手方向Ｙ及び幅方向Ｘと直交する高さ方向Ｚの寸法がＨである略直方体をなすブロック状の容器として構成されている。このバッテリー筐体２の寸法（長さＬ、幅Ｗ及び高さＨ）は、この実施例では長さＬ＞幅Ｗ＞高さＨという関係に設定した。しかしながら、本願発明のバッテリー装置の形状は、この実施例に限定されるものではなく、例えば、高さＨを十分に高くしたり（例えば、幅Ｗ＜高さＨ）、幅Ｗを長さＬよりも長くしたり（長さＬ＜幅Ｗ）、その他各種の寸法を適用することができることは勿論である。このバッテリー筐体２は、一面に開口された容器状の上ケース４と、この上ケース４の開口部を閉じるように装着される蓋体状の下ケース５とで構成されている。
【手続補正６】
【補正対象書類名】明細書
【補正対象項目名】００４３
【補正方法】変更
【補正の内容】
【００４３】
また、開口部４５の底面部４５ａには、後述する第１のフック部６１が貫通される２つの第１の貫通穴５１ａ，５１ｂと、第２のフック部６２が通される２つの第２の貫通穴５２ａ，５２ｂが設けられている。２つの第１の貫通穴５１ａ，５１ｂは、開口部４５の左側面部４５ｄに沿って設けられていて、下面部４５ｂから所定の間隔をあけて第１の下側貫通穴５１ａが配置され、その第１の下側貫通穴５１ａから所定の間隔をあけて第１の上側貫通穴５１ｂが配置されている。２つの第２の貫通穴５２ａ，５２ｂは、開口部４５の左側面部４５ｄに沿って設けられており、下面部４５ｂから所定の間隔をあけて第２の下側貫通穴５２ａが配置され、その第２の下側貫通穴５２ａから所定の間隔をあけて第２の上側貫通穴５２ｂが配置されている。第１の貫通穴５１ａ，５１ｂと第２の貫通穴５２ａ，５１ｂは、左右対称をなすように設けられている。そして、第１の貫通穴５１ａ，５１ｂと第２の貫通穴５２ａ，５２ｂは、第１のフック部６１及び第２のフック部６２がそれぞれ上下方向へ所定距離を移動できるように開口部４５の長手方向Ｙ１に延在された長方形状の穴として形成されている。
【手続補正７】
【補正対象書類名】明細書
【補正対象項目名】００６７
【補正方法】変更
【補正の内容】
【００６７】
リアパネル７３の開口部７５は、略長方形をなす装着部７４の第２の面である底面部７５ａと、この底面部７５ａの長手方向Ｙ１の一側に連続され且つ当該底面部７５ａと略垂直をなす第１の面である下面部７５ｂと、底面部７５ａの長手方向Ｙ１と直交する幅方向Ｘ１の一側に連続され且つ当該底面部７５ａと略垂直をなす左側面部７５ｄと、底面部７５ａの幅方向Ｘ１の他側に連続され且つ当該底面部７５ａと略垂直をなす右側面部７５ｅとを有している。この底面部７５ａと下面部７５ｂと左側面部７５ｄ及び右側面部７５ｅによって装着部７４のための開口部７５が構成されている。この開口部７５は、長手方向Ｙ１を上下方向に向けた状態でリアパネル７３に設けられている。
【手続補正８】
【補正対象書類名】明細書
【補正対象項目名】００７５
【補正方法】変更
【補正の内容】
【００７５】
次いで、バッテリー装置１を接続端子５６側にスライドさせる。これにより、図１１Ｃに示すように、第１のフック部８１では、第２係合片７ｂが第１フック片８１ａに係合され、第３係合片７ｃが第２フック片８１ｂに係合される。同様に、第２のフック部８２では、第２係合片８ｂが第１フック片８２ａに係合され、第３係合片８ｃが第２フック片８２ｂに係合される。これにより、４つの係合片７ｂ，７ｃ，８ｂ，８ｃに係合する４つのフック片８１ａ，８１ｂ，８２ａ，８２ｂによってバッテリー装置１がロックされる。これと同時に、ストッパ部材７７が外側に付勢されることにより、ストッパ部７７ａがバッテリー装置１の上方に突出され、ストッパ部７７ａがバッテリー装置１の第３の段差面６ｃと接触する。これにより、バッテリー装置１の長手方向Ｙ１への移動が阻止され、バッテリー装置１の装着部７４からの抜け出しが防止される。
【手続補正９】
【補正対象書類名】明細書
【補正対象項目名】００９０
【補正方法】変更
【補正の内容】
【００９０】
これにより、第１のフック部１１１と、バッテリー装置１Ａの第１の係合部７の第１係合片７ａ，第２係合片７ｂ，第３係合片７ｃが係合される。同様に、第２のフック部１１２と、バッテリー装置１Ａの第２の係合部８の第１係合片８ａ，第２係合片８ｂ，第３係合片８ｃが係合される。これにより、バッテリー装置１Ａの高さ方向Ｚ２への移動を阻止することができる。また、図１７に示すように、この実施例によれば、高さ方向Ｚ２の寸法がバッテリー装置１Ａよりも長い装着部１０４Ａに収納することができる。
【手続補正１０】
【補正対象書類名】明細書
【補正対象項目名】００９６
【補正方法】変更
【補正の内容】
【００９６】
【図１】本発明のバッテリー装置の第１の実施例を示す底面側から見た斜視図である。
【図２】本発明のバッテリー装置の第１の実施例を示すもので、図２Ａは底面図、図２Ｂは左側面図である。
【図３】本発明のバッテリー装置の第１の実施例を示すもので、図３Ａは正面図、図３Ｂは背面図、図３Ｃは図２ＢのＤ−Ｄ線断面図である。
【図４】本発明の電子機器の一実施例として示す撮像装置の一具体例であるデジタルビデオカメラを正面側から見た斜視図である。
【図５】本発明の電子機器の一実施例として示す撮像装置の一具体例であるデジタルビデオカメラを背面側から見た斜視図である。
【図６】本発明の電子機器の一実施例として示す撮像装置の一具体例であるデジタルビデオカメラの背面図である。
【図７】図４に示したデジタルビデオカメラの装着部を有するリアパネルの斜視図である。
【図８】図４に示したデジタルビデオカメラの装着部を有するリアパネル、スライド部材及び支持プレート部材の分解斜視図である。
【図９】図７に示したリアパネル等を示すもので、図９Ａはリアパネルの正面図、図９Ｂはバッテリー装置の装着時の初期状態を示す説明図、図９Ｃは装着後の状態を示す説明図である。
【図１０】本発明の電子機器の一実施例として示す撮像装置に係る装着部を有するリアパネルの第２の実施例を示す斜視図である。
【図１１】図１０に示したリアパネル等を示すもので、図１０Ａはリアパネルの正面図、図１０Ｂはバッテリー装置の装着時の初期状態を示す説明図、図１０Ｃは装着後の状態を示す説明図である。
【図１２】本発明のバッテリー装置の第２の実施例を示す底面側から見た斜視図である。
【図１３】本発明のバッテリー装置の第２の実施例を示す正面図である。
【図１４】本発明の電子機器の一実施例として示す撮像装置に係る装着部を有するリアパネルの第３の実施例を示す斜視図である。
【図１５】図１４に示したリアパネル等を示すもので、バッテリー装置を装着した状態における図１４のＵ−Ｕ線断面図である。
【図１６】本発明の電子機器に係る装着部の第４の実施例を示す正面側から見た斜視図である。
【図１７】バッテリー装置よりも高さ方向Ｚ２の寸法が十分に長い第４の実施例に係る装着部に、バッテリー装置を装着した状態における断面図である。